(57)【要約】      （修正有）【課題】ボールが配置される場所の条件を使用者が自由に設定可能なゴルフ練習具を提供する。【解決手段】ゴルフ練習具は、本体基部１と、本体棒材２と、突出材３と、紐材４と、ボール５と、重り６と、間隔設定材と、マット８とを有している。本体棒材２が本体基部１に立設され、突出材３が本体棒材２に対し突出する長さを調整可能に横方向に突出して設けられ、紐材４が本体棒材２から離れた位置で突出材３から吊下げられ、ボール５が紐材４の下端に取り付けられている。本体基部１は突出材３が本体棒材２から突出する側に平面状の側面１ａを有する。間隔設定材が平面状側面を有して本体基部１に着脱可能に設けられて本体基部１の側面１ａとの間に所定の間隔をあけて平面状側面を配置可能である。突出材３は本体基部１と間隔設定材との間にボール５を配置する。【選択図】図１
0003234048.tif 000002
【実用新案登録請求の範囲】
【請求項１】
本体基部と、
前記本体基部に立設された本体棒材と、
前記本体棒材に対し突出する長さを調整可能に横方向に突出して設けられた突出材と、
前記本体棒材から離れた位置で前記突出材から吊下げられた紐材と、
前記紐材の下端に取り付けられたボールとを、
有することを特徴とするゴルフ練習具。
【請求項２】
前記本体基部は前記突出材が前記本体棒材から突出する側に平面状の側面を有し、
平面状側面を有して前記本体基部に着脱可能に設けられて前記本体基部の前記側面との間に所定の間隔をあけて前記平面状側面を配置可能な間隔設定材を有し、
前記突出材は前記本体基部と前記間隔設定材との間に前記ボールを配置するよう前記本体棒材に対し突出可能に設けられていることを、
特徴とする請求項１記載のゴルフ練習具。
【請求項３】
別体を有し、前記別体は、
カップ用凹部を側部に有するカップ用基部と、
前記カップ用基部に対し立設されたカップ側棒材と、
前記本体棒材と前記カップ側棒材との間に張り渡し可能なガイド用紐材とを、
有することを特徴とする請求項１または２記載のゴルフ練習具。
【考案の詳細な説明】
【技術分野】
【０００１】
本考案は、ゴルフ練習具に関する。
【背景技術】
【０００２】
従来、ゴルフ練習用具として、床に設置される基体と、基体から立設された柱部材と、柱部材から水平に突出された枝状部材と、枝状部材に遊嵌されたリング状部材と、リング状部材に連結されることにより枝状部材から吊り下げられた第１紐部材と、第１紐部材の下端部分に取り付けられたボールと、からなるものが開示されている（例えば、特許文献１参照）。
【先行技術文献】
【特許文献】
【０００３】
【特許文献１】特開２００６−２３９０８８号公報
【考案の概要】
【考案が解決しようとする課題】
【０００４】
しかしながら、特許文献１に記載のゴルフ練習用具では、吊り下げられたボールの位置が基体上のマットの所定位置のため、芝生などのゴルフ場に近い条件などマット以外の条件での、より実戦的な練習をすることができないという課題があった。
【０００５】
本考案は、このような課題に着目してなされたもので、ボールが配置される場所の条件を使用者が自由に設定可能なゴルフ練習具を提供することを目的とする。
【課題を解決するための手段】
【０００６】
上記目的を達成するために、本考案に係るゴルフ練習具は、本体基部と、前記本体基部に立設された本体棒材と、前記本体棒材に対し突出する長さを調整可能に横方向に突出して設けられた突出材と、前記本体棒材から離れた位置で前記突出材から吊下げられた紐材と、前記紐材の下端に取り付けられたボールとを、有することを特徴とする。
本考案に係るゴルフ練習具では、本体棒材から突出する突出材の長さを調整することにより、紐材の下端に取り付けられたボールの位置を調節することができるので、芝生の上や砂地の上などボールが配置される場所の条件を使用者が自由に設定可能である。ボールは紐材で吊下げられているので、重力で元の位置に戻り、ボールの打感、打音でフィーリングをつかみ、転がり状態を確認しながら、繰り返しアプローチの練習をすることができる。
【０００７】
本考案に係るゴルフ練習具は、前記本体基部は前記突出材が前記本体棒材から突出する側に平面状の側面を有し、平面状側面を有して前記本体基部に着脱可能に設けられて前記本体基部の前記側面との間に所定の間隔をあけて前記平面状側面を配置可能な間隔設定材を有し、前記突出材は前記本体基部と前記間隔設定材との間に前記ボールを配置するよう前記本体棒材に対し突出可能に設けられていることが好ましい。
この場合、間隔設定材の平面状側面を本体基部の平面状の側面から、パッティングの際にパターヘッドが通過するパターヘッドの長さに合わせて離して互いに平行に配置し、本体棒材から突出する突出材の長さを調整して本体基部と間隔設定材との間にボールを配置する。パターヘッドが本体基部または間隔設定材に触れないようにパターヘッドを移動させ、パッティングの練習をすることができる。
【０００８】
本考案に係るゴルフ練習具は、別体を有し、前記別体は、カップ用凹部を側部に有するカップ用基部と、前記カップ用基部に対し立設されたカップ側棒材と、前記本体棒材と前記カップ側棒材との間に張り渡し可能なガイド用紐材とを、有することが好ましい。
この場合、別体を、パターの練習に適した距離だけ本体基部から離して配置し、カップ用凹部を本体基部に向ける。ガイド用紐材を本体棒材とカップ側棒材との間に張り渡して、ガイド用紐材の下方にボールを配置し、クラブでボールを打ってガイド用紐材に沿って転がし、カップ用凹部に入れる実戦的なパターの練習をすることができる。
【考案の効果】
【０００９】
本考案によれば、ボールが配置される場所の条件を使用者が自由に設定可能なゴルフ練習具を提供することができる。
【図面の簡単な説明】
【００１０】
【図１】本考案の実施の形態のゴルフ練習具を示す斜視図である。
【図２】図１に示すゴルフ練習具のパッティング練習の際の斜視図である。
【図３】図２に示すゴルフ練習具の、紐材およびボールを外した状態の（Ａ）正面図、（Ｂ）右側面図、（Ｃ）平面図である。
【図４】図１に示すゴルフ練習具の別体を用いたパターの練習の際の斜視図である。
【図５】図４に示す別体の斜視図である。
【考案を実施するための形態】
【００１１】
以下、図面に基づき本考案の実施の形態について説明する。
図１〜図５は、本考案の実施の形態のゴルフ練習具を示している。
図１に示すように、ゴルフ練習具は、本体基部１と、本体棒材２と、突出材３と、紐材４と、ボール５と、重り６と、間隔設定材７と、マット８とを有している。
【００１２】
本体基部１は、平面が正方形または長方形の板状である。本体基部１は、突出材３が本体棒材２から突出する側の側面１ａを含む周囲の４つの側面が平面状である。本体基部１は、上部に重り収納用の凹部１ｂと、間隔設定材収納用の凹部１ｃと、ボール収納用の凹部１ｄと、ゴルフティー収納用の凹部１ｅとを有している。本体棒材２は、直棒から成り、本体基部１の上面に垂直になるよう下端が本体基部１に固定されている。本体棒材２は、上端付近に貫通孔と固定孔とを有し、中央付近に紐取付用凸部２ａを有している。固定孔は貫通孔に直角に連通し、固定孔には固定ねじ２ｂが嵌合されている。
【００１３】
突出材３は、本体棒材２より細い直棒から成り、本体棒材２の貫通孔に挿入されている。突出材３は、本体棒材２に垂直に設けられ、本体棒材２に対し突出する長さを調整可能に横方向に突出している。突出材３は、固定ねじ２ｂにより任意の位置で本体棒材２に固定される。突出材３は、本体基部１と間隔設定材７との間にボール５を配置するよう、本体棒材２に対し突出させることも可能である。
紐材４は、突出材３の端部に一端が取り付けられ、本体棒材２から離れた位置で突出材３から吊下げられている。ボール５は、ゴルフボールから成り、本体基部１の設置場所に接触するよう紐材４の下端に取り付けられている。重り６は、本体基部１の重り収納用の凹部１ｂに着脱可能に設けられている。重り６は、手首等の強化用のダンベルから成っている。
【００１４】
図２および図３に示すように、間隔設定材７は、直方体状であって、平面状側面７ａを有している。間隔設定材７は、本体基部１の凹部１ｃに着脱可能に収納されている。間隔設定材７は、本体基部１の側面１ａとの間に所定の間隔をあけて平面状側面７ａを配置可能である。図１および図２に示すように、ボール５の下側には、マット８を敷設しておくことができる。
【００１５】
図４および図５に示すように、ゴルフ練習具は、別体１０を有している。別体１０は、カップ用基部１１と、カップ側棒材１２と、ガイド用紐材１３とを有している。カップ用基部１１は、平面が長方形の板の端部側の側部にカップ用凹部１１ａを有している。カップ用凹部１１ａは、ゴルフ場グリーンのカップに合わせた径の半円筒内面形状を有している。カップ側棒材１２は、直棒から成り、カップ用基部１１の上面に垂直になるよう下端がカップ用基部１１に固定されている。カップ側棒材１２は、上端付近に紐取付用凸部１２ａを有している。ガイド用紐材１３は、本体棒材２およびカップ側棒材１２の紐取付用凸部２ａ、１２ａに取り付けられて、その間に張り渡し可能である。
【００１６】
次に、作用について説明する。
図１に示すように、ゴルフ練習具では、本体棒材２から突出する突出材３の長さを調整することにより、紐材４の下端に取り付けられたボール５の位置を調節することができるので、芝生の上や砂地の上などボール５が配置される場所の条件を使用者が自由に設定可能である。ボール５は紐材４で吊下げられているので、重力で元の位置に戻り、ボール５の打感、打音でフィーリングをつかみ、転がり状態を確認しながら、繰り返しアプローチの練習をすることができる。
【００１７】
パッティングの練習をする場合には、図２に示すように、間隔設定材７の平面状側面７ａを本体基部１の平面状の側面１ａから、パッティングの際にパターヘッドが通過するパターヘッドの長さに合わせて離して互いに平行に配置し、本体棒材２から突出する突出材３の長さを調整して本体基部１と間隔設定材７との間にボール５を配置する。パターヘッドが本体基部１または間隔設定材７に触れないようにパターヘッドを移動させ、パッティングの練習をすることができる。
【００１８】
さらに、図４に示すように、別体１０を、パターの練習に適した距離（例えば、２ｍ）だけ本体基部１から離して配置し、カップ用凹部１１ａを本体基部１に向ける。ガイド用紐材１３を本体棒材２とカップ側棒材１２との間に張り渡して、ガイド用紐材１３の下方にボール５を配置し、クラブでボール５を打ってガイド用紐材１３に沿って転がし、カップ用凹部１１ａに入れる実戦的なパターの練習をすることができる。ガイド用紐材１３は、グリーンの傾斜を考慮しないで、ボールとカップとの距離を平坦な２ｍくらいの直線距離と想定し、ガイド用紐材１３に沿ってパターの反復練習をするのに効果的である。
なお、ゴルフ練習具は、持ち運びが可能で、練習する時間、場所を問わない。
【符号の説明】
【００１９】
１  本体基部、１ａ  側面、１ｂ  １ｃ  １ｄ  １ｅ  凹部、２  本体棒材、
２ａ  紐取付用凸部、２ｂ  固定ねじ、３  突出材、４  紐材、５  ボール、
６  重り、７  間隔設定材、７ａ  平面状側面、８  マット、１０  別体、
１１  カップ用基部、  １１ａ  カップ用凹部、１２  カップ側棒材、
１２  カップ側棒材、  １２ａ  紐取付用凸部、１３  ガイド用紐材
【図１】
0003234048.tif 000003
【図２】
0003234048.tif 000004
【図３】
0003234048.tif 000005
【図４】
0003234048.tif 000006
【図５】
0003234048.tif 000007